(57)【要約】本発明はＣアーム型Ｘ線撮像システムに関する。拡張された３Ｄ視野を備えるＣアーム型システムを提供するために、オブジェクトの拡張された３Ｄ画像を取得するよう設けられるＣアーム型Ｘ線撮像システム（１０）であって、Ｘ線源及びそのＸ線源の向かいに取り付けられたＸ線検出器を備えるＣアーム構造体（１２）と、Ｃアーム構造体の回転動作のための電動ドライブ（２２）と、制御ユニット（２６）とを有するシステムが提供される。Ｃアーム構造体は、再構成された３次元視野のための画像データを生成するために、回転軸周りの且つ複数のＸ線投影を取得するＩＳＯ中心周りの回転走査を実行するよう設けられる。制御ユニットは、電動ドライブを制御するよう、且つ、制御ユニットは、前記Ｃアーム構造体の前記回転動作に、第１の視野のための第１の回転軸による第１のＩＳＯ中心（５６）周りの第１の回転Ｘ線走査（５０）と、第２の視野のための第２の回転軸による第２のＩＳＯ中心（６２）周りの少なくとも第２の回転Ｘ線走査（６０）とを実行させるよう構成される。第１及び第２の回転中心は、第１及び第２のＩＳＯ中心間の接続線が第１及び第２の回転軸に対して横方向に配置されるように互いに対してずらされる。
2014533168.tif 000002
【特許請求の範囲】
【請求項１】
オブジェクトの拡張された３次元画像を取得するよう設けられるＣアーム型Ｘ線撮像システムであって、
Ｘ線源と、該Ｘ線源の向かいに取り付けられたＸ線検出器とを備えるＣアーム構造体と、
前記Ｃアーム構造体の回転動作のための電動ドライブと、
制御ユニットと
を有し、
前記Ｃアーム構造体は、再構成された３次元視野のための画像データを生成するために、回転軸周りの且つ複数のＸ線投影を取得するＩＳＯ中心周りの回転走査を実行するよう設けられ、
前記制御ユニットは、前記電動ドライブを制御するよう構成され、
前記制御ユニットは、前記Ｃアーム構造体の前記回転動作に、
第１の視野のための第１の回転軸による第１のＩＳＯ中心周りの第１の回転Ｘ線走査と、
第２の視野のための第２の回転軸による第２のＩＳＯ中心周りの少なくとも第２の回転Ｘ線走査と
を実行させるよう構成され、
前記第１のＩＳＯ中心及び前記第２のＩＳＯ中心は、前記第１のＩＳＯ中心と前記第２のＩＳＯ中心との間の接続線が前記第１の回転軸及び前記第２の回転軸に対して横方向に配置されるように互いに対してずらされる、Ｃアーム型Ｘ線撮像システム。
【請求項２】
前記Ｃアーム構造体は、第１の軌道による前記第１の回転Ｘ線走査と、前記第１の軌道に対して変位された第２の軌道による前記第２の回転Ｘ線走査とを実行するよう構成され、前記第１の軌道及び前記第２の軌道は、同じ軌道形状を有する、
請求項１に記載のＣアーム型Ｘ線撮像システム。
【請求項３】
前記制御ユニットは、前記Ｃアーム構造体の前記回転動作に、前記第１の視野及び前記第２の視野が互いと接するように前記回転走査を実行させるよう構成される、
請求項１又は２に記載のＣアーム型Ｘ線撮像システム。
【請求項４】
前記第１の回転軸及び前記第２の回転軸は、前記第１のＩＳＯ中心と前記第２のＩＳＯ中心との間の前記接続線が前記第１の回転軸及び前記第２の回転軸と垂直に配置されるように互いに対して平行に変位される、
請求項１乃至３のうちいずれか一項に記載のＣアーム型Ｘ線撮像システム。
【請求項５】
前記Ｃアーム構造体は、前記第１の回転走査及び前記第２の回転走査を夫々円弧として実行するよう設けられる、
請求項１乃至４のうちいずれか一項に記載のＣアーム型Ｘ線撮像システム。
【請求項６】
前記制御ユニットは、前記第１の視野及び前記第２の視野並びに残りの領域を囲む拡張された３次元視野として凸包を提供するよう構成され、前記残りの領域は前記凸包内にあるが前記第１の視野及び前記第２の視野の外にあり、
前記制御ユニットは、前記第１の視野の再構成のために前記第１の回転Ｘ線走査からの投影データを、及び前記第２の視野の再構成のために前記第２の回転Ｘ線走査からの投影データを使用するよう構成され、
前記制御ユニットは、前記残りの領域の再構成のために、前記第１の視野の少なくとも一部分からの投影データと、前記第２の視野の少なくとも一部分からの投影データとを使用するよう構成される、
請求項１乃至５のうちいずれか一項に記載のＣアーム型Ｘ線撮像システム。
【請求項７】
前記制御ユニットは、前記残りの領域内のボクセルを再構成するためにボクセルカバリングセグメントからの投影データを使用するよう構成され、前記ボクセルカバリングセグメントは、再構成されるべき前記ボクセルが特定の捕捉点の夫々の前記第１の視野及び／又は前記第２の視野内にある捕捉点を含む前記第１の回転Ｘ線走査及び／又は前記第２の回転Ｘ線走査のセグメントである、
請求項１乃至６のうちいずれか一項に記載のＣアーム型Ｘ線撮像システム。
【請求項８】
オブジェクトの３次元Ｘ線画像データを取得する方法であって、
ａ）第１のＩＳＯ中心周りで第１の回転Ｘ線走査を実行するステップと、
ｂ）第２のＩＳＯ中心周りの少なくとも第２の回転Ｘ線走査を実行するステップと、
を有し、
前記第１のＩＳＯ中心及び前記第２のＩＳＯ中心は、前記第１のＩＳＯ中心と前記第２のＩＳＯ中心との間の接続線が第１の回転軸及び第２の回転軸に対して横方向に配置されるように互いに対してずらされる、方法。
【請求項９】
前記ステップａ）における前記第１の回転Ｘ線走査は、第１の軌道により実行され、前記ステップｂ）における前記第２の回転Ｘ線走査は、前記第１の軌道に対して変位された第２の軌道により実行され、前記第１の軌道及び前記第２の軌道は、同じ軌道形状を有する、
請求項８に記載の方法。
【請求項１０】
ｉ）前記第１のＩＳＯ中心及び前記第２のＩＳＯ中心が、第１の視野及び第２の視野が互いと接するように変位されることと、
ｉｉ）前記第１の回転軸及び前記第２の回転軸が、前記第１のＩＳＯ中心と前記第２のＩＳＯ中心との間の前記接続線が前記第１の回転軸及び前記第２の回転軸と垂直に配置されるように互いに対して平行に変位されることと、
ｉｉｉ）前記第１の回転走査及び前記第２の回転走査が夫々円弧として実行されることと
のうちの少なくとも１つが提供される、請求項８又は９に記載の方法。
【請求項１１】
前記第１の視野及び前記第２の視野並びに残りの領域を含む拡張された３次元視野として凸包が提供され、前記残りの視野は、前記凸包内にあるが前記第１の視野及び前記第２の視野の外にあり、
前記第１の視野の再構成のために、前記第１の回転Ｘ線走査からの投影データが使用され、前記第２の視野の再構成のために、前記第２の回転Ｘ線走査からの投影データが使用され、
前記残りの領域の再構成のために、前記第１の視野の少なくとも一部分からの投影データと、前記第２の視野の少なくとも一部分からの投影データとが使用される、
請求項８乃至１０のうちいずれか一項に記載の方法。
【請求項１２】
前記残りの領域内のボクセルを再構成するために、ボクセルカバリングセグメントからの投影データが使用され、前記ボクセルカバリングセグメントデータは、再構成されるべき前記ボクセルが特定の捕捉点の夫々の前記第１の視野及び／又は前記第２の視野内にある捕捉点を含む前記第１の回転Ｘ線走査及び／又は前記第２の回転Ｘ線走査のセグメントである、
請求項８乃至１１のうちいずれか一項に記載の方法。
【請求項１３】
前記残りの領域内の前記ボクセルを再構成するために、前記ボクセルカバリングセグメントに沿った微分された逆投影された投影データが使用される、
請求項１２に記載の方法。
【請求項１４】
プロセッシングユニットによって実行される場合に、請求項８乃至１３のうちいずれか一項に記載の方法を実行するよう適応される請求項１乃至７のうちいずれか一項に記載のＣアーム型Ｘ線撮像システムを制御するコンピュータプログラム。
【請求項１５】
請求項１４に記載のコンピュータプログラムを記憶したコンピュータ可読媒体。
【発明の詳細な説明】
【技術分野】
【０００１】
本発明は、Ｃアーム型Ｘ線撮像システム、オブジェクトの３ＤＸ線画像データを取得する方法、コンピュータプログラム要素及びコンピュータ可読媒体に関する。
【背景技術】
【０００２】
Ｃアーム型システムにおいて、３次元（３Ｄ）視野は、Ｘ線源と検出器との間の距離及び検出自体のサイズの幾何学的配置によって制限される。Ｘ線断層撮影画像データを提供するＣアーム型システムにおける、ＣＴライクイメージングプロシージャとも呼ばれる撮像プロシージャに関し、この制限は、関心領域が完全に３Ｄ視野によってカバーされない場合に欠点となる。例えば、肝臓に関する動作介入において、例えば、多血性肝臓障害の治療において、関心領域は十分に３Ｄ視野によってカバーされないことがある。米国特許出願公開第２０１１／０２５５６５７（Ａ１）号明細書（特許文献１）は、ＣＴ画像撮影に関連し、３Ｄ視野を大きくするための検出器の横方向の移動を記載する。しかし、検出器は、シフト可能であるよう設けられなければならず、移動を可能にするための機械的な手段を必要とする。
【先行技術文献】
【特許文献】
【０００３】
【特許文献１】米国特許出願公開第２０１１／０２５５６５７（Ａ１）号明細書
【発明の概要】
【発明が解決しようとする課題】
【０００４】
よって、必要とされる機械的な作用を低減しながら拡張された３Ｄ視野をＣアーム型システムに提供する必要性がある。
【課題を解決するための手段】
【０００５】
本発明の目的は、独立請求項の対象によって解消され、更なる実施形態は従属請求項において組み入れられる。
【０００６】
留意すべきは、以下で記載される本発明の態様は、Ｃアーム型Ｘ線撮像システム、オブジェクトの３ＤＸ線画像データを取得する方法、コンピュータプログラム要素及びコンピュータ可読媒体にも適用される点である。
【０００７】
本発明の第１の態様に従って、オブジェクトの拡張された３次元画像を取得するよう設けられるＣアーム型Ｘ線撮像システムであって、Ｘ線源及び該Ｘ線源の向かいに取り付けられたＸ線検出器を備えるＣアーム構造体と、前記Ｃアーム構造体の回転動作のための電動ドライブと、制御ユニットとを有するＣアーム型Ｘ線撮像システムが提供される。前記Ｃアーム構造体は、再構成された３次元視野のための画像データを生成するために、回転軸周りの且つ複数のＸ線投影を取得するＩＳＯ中心周りの回転走査を実行するよう設けられる。前記制御ユニットは、前記電動ドライブを制御するよう構成される。前記制御ユニットはまた、前記Ｃアーム構造体の前記回転動作に、第１の視野のための第１の回転軸による第１のＩＳＯ中心周りの第１の回転Ｘ線走査と、第２の視野のための第２の回転軸による第２のＩＳＯ中心周りの少なくとも第２の回転Ｘ線走査とを実行させるよう構成される。
【０００８】
前記第１のＩＳＯ中心及び前記第２のＩＳＯ中心は、前記第１のＩＳＯ中心と前記第２のＩＳＯ中心との間の接続線が前記第１の回転軸及び前記第２の回転軸に対して横方向に配置されるように互いに対してずらされる。
【０００９】
語“横方向（transverse）”は接続線を指し、接続線は直線であり、第１及び第２の回転軸に対して横方向に、すなわち、第１及び第２の回転軸に対して斜に走っている。
【００１０】
例えば、第１及び第２の回転軸は、第１及び第２の視野が、例えば、隣接する視野として、互いの近くに又は直ぐ近くにあるように、変位される。
【００１１】
例えば、第１及び第２の回転軸は、平行移動によって変位される。その場合に、接続線は、第１及び第２の回転軸に対して垂直である。
【００１２】
例えば、第１及び第２の回転軸は、横方向の移動によって変位され、この移動は、２つの回転軸に対して垂直な第１の垂直ベクトル成分と、２つの回転軸に対して平行な第１の平行ベクトル成分とを有している。
【００１３】
例えば、第１及び第２の回転軸は、横方向の移動によって変位され、この移動は、２つの回転軸のうちの一方に対して垂直な第１の垂直ベクトル成分と、２つの回転軸のうちの他方に対して垂直な第２の垂直ベクトル成分とを有している。
【００１４】
例えば、第１及び第２の垂直ベクトル成分と平行ベクトル成分との組み合わせが提供される。
【００１５】
第１及び第２の回転軸はまた、回転によって変位されてよい。
【００１６】
第１及び第２の回転軸はまた、２つの回転軸のうちの一方に対して平行及び／又は垂直な移動によって並びに回転によって変位されてよい。
【００１７】
語“Ｃアーム（C-arm）”は、Ｘ線源がＸ線検出器に対向して配置され、オブジェクトが線源と検出器との間に配置可能であるところのシステムに関することが知られる。線源及び検出器は共に対象の周りを動かされ得る。例えば、夫々が円弧上を回転するよう回転する。よって、語“Ｃアーム”はまた、“Ｃ”の２つのアームが“Ｏ”を形成するよう閉じられている所謂Ｏアームシステムを指す。語“Ｃアーム”はまた、Ｃアームにおけるような動きを提供するよう構成される個々のロボティックアームに線源及び検出器が取り付けられるシステムを含む。
【００１８】
第１及び第２の回転走査のために、Ｃアームは固定のＩＳＯ中心を有する。第１及び第２の回転中心の変位（例えば、シフト及び／又は回転）は、Ｃアーム構造体に対するオブジェクト支持体の変位によって、又はオブジェクト支持体に対するＣアーム構造体の変位によって提供される。なお、変位のために、Ｃアーム構造体及びオブジェクト支持体の両方の互いに対する変位の組み合わせが提供されてよい。
【００１９】
例えば、第１及び第２の回転Ｘ線走査は複数のＸ線投影により提供され、各Ｘ線投影は、第１及び第２の３Ｄ視野のうちの対応する３Ｄ視野を再構成するために第１及び第２の投影ボリュームのうちの対応する投影ボリュームをカバーする回転面において扇形状のビームを有する。
【００２０】
例えば、再構成された３Ｄ視野は円筒形の形状を有する。
【００２１】
例えば、前記制御ユニットは、前記Ｃアーム構造体の前記回転動作に、第１及び第２の回転Ｘ線走査に加えて更なる回転Ｘ線走査を実行させるよう構成される。
【００２２】
例となる実施形態に従って、前記Ｃアーム構造体は、第１の軌道による前記第１の回転Ｘ線走査と、前記第１の軌道に対して変位された第２の軌道による前記第２の回転Ｘ線走査とを実行するよう構成され、前記第１の軌道及び前記第２の軌道は、同じ軌道形状を有する。
【００２３】
例となる実施形態に従って、前記制御ユニットは、前記Ｃアーム構造体の前記回転動作に、前記第１の視野及び前記第２の視野が互いと接するように前記回転走査を実行させるよう構成される。
【００２４】
例えば、第１及び第２の視野は、共通して少なくとも１つのボクセルを有する。
【００２５】
例えば、第１及び第２の視野は、互いと接するか又は重なり合う。
【００２６】
例となる実施形態に従って、前記第１の回転軸及び前記第２の回転軸は、前記第１のＩＳＯ中心と前記第２のＩＳＯ中心との間の前記接続線が前記第１の回転軸及び前記第２の回転軸と垂直に配置されるように互いに対して平行に変位される。
【００２７】
語“平行（parallel）”及び“垂直（perpendicular）”はまた、例えば、±５°又は±１０°といった、厳密な平行性及び厳密な９０°からの偏差、例えば、小さな偏差を有する第１及び第２の回転軸の配置を指す。
【００２８】
更なる例となる実施形態に従って、前記Ｃアーム構造体は、前記第１の回転走査及び前記第２の回転走査を夫々円弧として実行するよう設けられる。
【００２９】
回転は、回転中心までの線源及び／又は検出器の距離が変化する状態で実行されてよく、結果として、例えば、楕円形状となる。
【００３０】
更なる例に従って、前記制御ユニットは、前記Ｃアーム構造体の前記回転移動に、第１及び第２の回転走査を少なくとも１４０°にわたって、例えば、１８０°にファンアングルを加えた角度にわたって実行させるよう構成される。
【００３１】
よって、高い再構成精度が達成され得る。
【００３２】
更なる例となる実施形態に従って、前記制御ユニットは、前記第１の視野及び前記第２の視野並びに残りの領域を囲む拡張された３次元視野として凸包を提供するよう構成され、前記残りの領域は前記凸包内にあるが前記第１の視野及び前記第２の視野の外にある。前記制御ユニットは、前記第１の視野の再構成のために前記第１の回転Ｘ線走査からの投影データを、及び前記第２の視野の再構成のために前記第２の回転Ｘ線走査からの投影データを使用するよう構成される。前記制御ユニットは、前記残りの領域の再構成のために、前記第１の視野の少なくとも一部分からの投影データと、前記第２の視野の少なくとも一部分からの投影データとを使用するよう構成される。
【００３３】
例となる実施形態に従って、前記制御ユニットは、前記残りの領域内のボクセルを再構成するためにボクセルカバリングセグメントからの投影データを使用するよう構成され、前記ボクセルカバリングセグメントは、再構成されるべき前記ボクセルが特定の捕捉点の夫々の前記第１の視野及び／又は前記第２の視野内にある捕捉点を含む前記第１の回転Ｘ線走査及び／又は前記第２の回転Ｘ線走査のセグメントである。
【００３４】
本発明の第２の態様に従って、オブジェクトの３次元Ｘ線画像データを取得する方法であって、
ａ）第１のＩＳＯ中心周りで第１の回転Ｘ線走査を実行するステップと、
ｂ）第２のＩＳＯ中心周りの少なくとも第２の回転Ｘ線走査を実行するステップと、
を有する方法が提供される。
【００３５】
前記第１のＩＳＯ中心及び前記第２のＩＳＯ中心は、前記第１のＩＳＯ中心と前記第２のＩＳＯ中心との間の接続線が第１の回転軸及び第２の回転軸に対して横方向に配置されるように互いに対してずらされる。
【００３６】
語“視野（field  of  view）”はまた、“投影ボリューム（volume  of  projection）”とも呼ばれる。視野又は投影ボリュームは、夫々の回転走査のＸ線投影の夫々で可視的であるボクセルを指す。なお、可視的とは、検出器によって検出可能であることを意味する。
【００３７】
例えば、弧（arc）は、例えば、１８０°にファンアングルを加えた角度にわたる半円として提供される円弧として実行される。
【００３８】
例となる実施形態に従って、第１の視野及び第２の視野並びに残りの領域を囲む拡張された３次元視野として凸包が提供され、前記残りの視野は、前記凸包内にあるが前記第１の視野及び前記第２の視野の外にある。前記第１の視野の再構成のために、前記第１の回転Ｘ線走査からの投影データが使用され、前記第２の視野の再構成のために、前記第２の回転Ｘ線走査からの投影データが使用される。前記残りの領域の再構成のために、前記第１の視野の少なくとも一部分からの投影データと、前記第２の視野の少なくとも一部分からの投影データとが使用される。
【００３９】
例となる実施形態に従って、前記残りの領域内のボクセルを再構成するために、ボクセルカバリングセグメントからの投影データが使用される。前記ボクセルカバリングセグメントデータは前記第１の回転Ｘ線走査及び／又は前記第２の回転Ｘ線走査のセグメントであり、該セグメントは、再構成されるべき前記ボクセルが特定の捕捉点の夫々の前記第１の視野及び／又は前記第２の視野内にある捕捉点を含む。
【００４０】
更なる例となる実施形態に従って、前記残りの領域内の前記ボクセルを再構成するために、前記ボクセルカバリングセグメントに沿った微分された逆投影された投影データが使用される。
【００４１】
例えば、最適なセットアップは、第１及び第２の回転Ｘ線走査が同じ軌道形状を有していることと、且つ、ｉ）前記第１のＩＳＯ中心及び前記第２のＩＳＯ中心が、前記第１の視野及び前記第２の視野が互いと接するように変位されること、ｉｉ）前記第１の回転軸及び前記第２の回転軸が、前記第１のＩＳＯ中心と前記第２のＩＳＯ中心との間の前記接続線が前記第１の回転軸及び前記第２の回転軸と垂直に配置されるように互いに対して平行に変位されること、及びｉｉｉ）前記第１の回転走査及び前記第２の回転走査が夫々円弧として実行されることとを提供することによって、達成され得る。
【００４２】
なお、留意すべきは、それらからの偏差及び変形も説明されるように適用される点である。例えば、それらのパラメータのうちの１以上を満たさないか又は適応させないことによって、拡張された視野のための結果は、わずかに品質が低下した状態で達成されるかもしれないが、本発明に従う目的にとっては依然として有益である。
【００４３】
本発明の態様に従って、拡張された視野（extended  field  of  view；ＸＦＯＶ）は、固定の回転中心、すなわち、ＩＳＯ中心周りの回転走査の形で夫々が提供される２つの別個の捕捉に基づく。なお、少なくとも２つの捕捉ラン、すなわち、それらの回転中心は、互いに対してずらされており、再構成のために十分な画像データを提供するよう異なる視方向からの走査により更に大きな領域をカバーする。夫々の回転走査によって十分にカバーされるそれらの領域は、特定の夫々の回転走査に基づき再構成される。凸包内の残りの領域に関しては、次のように両方の回転走査からの画像データが使用される。夫々のボクセル、すなわち、画像点が、回転走査のうちの一方からの、すなわち、回転走査又は軌跡の夫々のセグメントからのビューによってカバーされる限り、この画像データは、より大きなボリュームの再構成のために使用される。夫々のボクセルが夫々の軌跡上の次のビューによってもはやカバーされないと直ぐに、他の軌跡又は回転走査からの画像データが、ボクセルがこの場合にこの夫々のビューによって見られるように、使用される。回転Ｘ線走査の３Ｄ視野が互いと接しない変位の場合に、夫々の回転Ｘ線走査のうちのいずれによってもカバーされないボクセルが現れることがある。そのような場合に、再構成はそれでもなお実行されてよく、結果として得られる精度は低くなるものの、ＸＦＯＶのための３Ｄ画像データを提供するには依然として十分である。なお、３Ｄ視野が互いと接している場合に、少なくとも１８０°にファンアングルを加えた角度にわたる回転走査の場合に、凸包内の全てのボクセルは異なる回転Ｘ線走査からの捕捉データの結合によって再構成され得る。３Ｄ視野内の領域は、例えば、順次的な標準ＦＤＫ再構成（Ｆｅｌｄｋａｍｐ，Ｄａｖｉｓ  ＆  Ｋｒｅｓｓによる既知の再構成アルゴリズム）により再構成されてよい。なお、３Ｄ視野は打ち切りアーティファクト（truncation  artefacts）に苦しむことがある。例えば、円形逆投影フィルタリング（back  projection  filtration；ＢＰＦ）アルゴリズムは、３Ｄ視野のみならず残りの領域も再構成され得るように変更され得る。例えば、残りの領域におけるボクセルは、軌跡のボクセルカバリングセグメントに沿った微分された逆投影された（differentiated  back-projected；ＤＢＰ）投影データを用いて再構成され得る。よって、オブジェクトがＸＦＯＶに横方向に沿ってはまる場合に、数学的に正確な再構成が全体の視野の中心平面において提供される。
【００４４】
本発明のそれら及び他の態様は、以下で記載される実施形態から明らかとなり、それらを参照して説明される。
【図面の簡単な説明】
【００４５】
【図１】本発明に従うＣアーム型Ｘ線撮像システムの実施例を概略的に記載する。
【図２】少なくとも２つの回転Ｘ線走査の配置を概略的に記載する。
【図３】少なくとも２つの回転Ｘ線走査の更なる実施形態を概略的に示す。
【図４】本発明に従う２つの回転Ｘ線走査の更なる実施例を示す。
【図５】本発明に従う、オブジェクトの３Ｄ画像データを取得する方法の基本的な方法ステップを概略的に表す。
【図６】本発明に従う方法の更なる例を概略的に示す。
【発明を実施するための形態】
【００４６】
本発明の例となる実施形態は、図面を参照して以下で記載される。
【００４７】
上述されたように、本発明は、２つの弧状捕捉から、例えば、２つの円弧捕捉からＸＦＯＶを実現するための取得及び再構成方法を提案する。本発明は、捕捉間の変位された、例えば、シフトされたＩＳＯ中心による２以上の弧状捕捉、例えば、円弧捕捉を有し、第１及び第２のＩＳＯ中心は、第１及び第２のＩＳＯ中心間の接続線が第１及び第２の回転軸に対して横方向に配置されるように互いに対してずらされる。ＩＳＯ中心の変位、例えば、シフトは、Ｃアーム型システム全体の移動によって、若しくは患者検査台を動かすことによって、又はそれらの組み合わせによって実現され得る。
【００４８】
図１は、Ｘ線源１４及びそのＸ線源１４の向かいに取り付けられたＸ線検出器１６を、すなわち、Ｃアームの対向する端部１８，２０において備えるＣアーム構造体１２を有するＣアーム型Ｘ線撮像システム１０を示す。更に、Ｃアーム構造体の回転動作のための電動ドライブ２２が設けられている。更に、患者検査台の形をしたオブジェクト支持体２４が設けられてよい。また更に、制御ユニット２６が設けられている。
【００４９】
加えて、図１は、照明設備２８と、ディスプレイ配置３０とを更に示す。
【００５０】
Ｃアーム構造体は、オブジェクト支持体２４の上に配置されたオブジェクト３２の周りを回転することができる。ＩＳＯ中心を形成する回転中心に対する患者の位置づけは調整可能である。Ｃアーム構造体は、水平軸３４周りの移動と、垂直軸３６周りの回転動作とを可能にする。また更に、双方向矢印３８により示される弧状のスライディング動作も可能である。患者検査台の移動は更に、水平移動を示す第１の双方向矢印４０と、垂直移動を示す第２の双方向矢印４２とにより示される。本発明に従うＩＳＯ中心の移動又は変位を提供するために、２つの矢印４０及び４２によって示された方向に垂直な検査台の変位、例えば、シフトが提供される。また更に、垂直軸周りの検査台の回転動作も提供されるが、これは図示されていない。ＩＳＯ中心は、垂直軸３６及び水平軸３４の交点によって示され、紅顔は参照符号４４により示されている。
【００５１】
本発明に従って、Ｃアーム構造体は、再構成された３Ｄ視野のための画像データを生成するために、複数のＸ線投影を取得するＩＳＯ中心周りの且つ回転軸周りの回転走査を実行するよう設けられる。
【００５２】
“横方向”の変位は接続線に関連し、接続線は直線であり、第１及び第２の回転軸に対して横方向に、すなわち、第１及び第２の回転軸に対して斜に走っている。例えば、第１及び第２の回転軸は、第１及び第２の視野が、例えば、隣接する視野として、互いの近くに又は直ぐ近くにあるように、変位される。
【００５３】
例えば、第１及び第２の回転軸は、平行移動によって変位される。
【００５４】
他の例（図示せず。）に従って、第１及び第２の回転軸は、横方向の移動によって変位され、この移動は、２つの回転軸に対して垂直な第１の垂直ベクトル成分と、２つの回転軸に対して平行な第１の平行ベクトル成分とを有している。
【００５５】
更なる他の例（図示せず。）に従って、第１及び第２の回転軸は、横方向の移動によって変位され、この移動は、２つの回転軸のうちの一方に対して垂直な第１の垂直ベクトル成分と、２つの回転軸のうちの他方に対して垂直な第２の垂直ベクトル成分とを有している。
【００５６】
更なる他の例（図示せず。）に従って、第１及び第２の垂直ベクトル成分と平行ベクトル成分との組み合わせが提供される。
【００５７】
第１及び第２の回転軸はまた、回転によって変位されてよい（図示せず。）。
【００５８】
第１及び第２の回転軸はまた、２つの回転軸のうちの一方に対して平行及び／又は垂直な移動によって並びに回転によって変位されてよい（同じく図示せず。）。
【００５９】
制御ユニット２６は、電動ドライブ２２を制御し、更に、Ｃアーム構造体１２の回転動作を引き起こす。本発明に従う回転動作は、図２乃至６を参照して以下で記載される。
【００６０】
図２は、異なる回転走査の幾何学的配置についての例を概略的に示す。回転走査は、例えば、Ｘ線源の移動経路に関連する軌跡の形で示されていることが分かる。より良い理解のために、Ｃアームの対向する端部に対する線源及び検出器の取り付けにより同時に起こるＸ線源の夫々の移動は、更には示されない。
【００６１】
図２は、支持構造体４８の上に配置された患者の断面４６を示す。支持構造体は、例えば、オブジェクト支持体２４に相当する。
【００６２】
本発明に従って、第１の視野のための第１の回転軸による第１のＩＳＯ中心５６周りの第１の回転Ｘ線走査は、同じく参照符号５０により示された第１の軌跡によって概略的に表されている。その軌跡に沿って、複数のＸ線投影が取得され、例えば、各投影は、第１の３Ｄ視野を再構成するための第１の投影ボリュームをカバーするよう回転平面において扇形状のビームを有する。例えば、第１の点５２に関し、Ｘ線投影は、第１の角度５４により示され、この角度は、検出器と線源との間の距離に対する検出器の幅によって定義される。図２において、第１の回転軸は、第１のＩＳＯ中心を通って、図面の表面に対して垂直に配置される。第２の回転軸は同様に、第２のＩＳＯ中心を通って、図面の表面に対して垂直に配置される。
【００６３】
よって、第１及び第２のＩＳＯ中心間の接続線（図示せず。）は、第１及び第２の回転軸間の接続線でもある。
【００６４】
Ｘ線源は軌跡５０に沿って動かされ、同時に第１のＩＳＯ中心５６、すなわち、第１の回転軸５６の周りを回転される。よって、回転中心５６周りを回転するよう角度５４を動かす場合に、第１の破線円によって示された第１の視野５８、すなわち、第１の投影ボリューム５８は、第１の３Ｄ視野を再構成するために提供される。
【００６５】
第２の視野のための第２の回転軸による第２のＩＳＯ中心６２周りの第２の回転Ｘ線走査６０は第２の軌跡により示されており、第２の軌跡のためにも参照符号６０が使用される。第２の回転Ｘ線走査６０はまた、第２の３Ｄ視野を再構成するための第２の投影ボリュームをカバーするよう回転平面における扇形のビームによる複数のＸ線投影を有する。回転はまた、例えば、オブジェクトの周りの少なくとも１４０°にわたって、第２のＩＳＯ中心６２、すなわち、第２の回転軸６２の周りの円弧において実行される。例えば、第１及び第２の回転はいずれも、少なくとも１４０°、例えば、１８０°に夫々のファンアングル５４を加えた角度にわたって、実行される。
【００６６】
第２の角度６４は、夫々の、いわば視角を示し、よって、第２の３Ｄ視野を再構成するための第２の視野６６、すなわち、第２の投影ボリューム６６を提供する。第２の投影ボリューム６６は第２の破線円により示されている。
【００６７】
第１及び第２の回転中心５６、６２は、第１及び第２のＩＳＯ中心間の接続線が第１及び第２の回転軸に対して横方向に配置されるように、距離双方向矢印６８により示されるように、互いに対して変位される。
【００６８】
第１及び第２の回転Ｘ線走査５０、６０の結果として、凸包７０が、第１の視野５８及び第２の視野６６並びに残りの領域７２を囲む拡張された３Ｄ視野として提供される、残りの領域７２は凸包７０内にあるが、第１の視野５８及び第２の視野６６の外にある。
【００６９】
図２で示される例では、Ｃアーム構造体の回転動作は、円弧の形をした弧として実行される。
【００７０】
更なる例となる実施形態（図示せず。）に従って、回転は、回転中心までの線源及び／又は検出器の距離が変化する状態で実行され、結果として楕円形状となる。一方、円弧は、回転中心までの線源及び検出の夫々の一定且つ不変の距離に基づく。
【００７１】
回転中心までの線源及び／又は検出器の距離の変化とは無関係に、本発明に従って、回転中心は固定のままである。つまり、Ｃアームは、夫々の回転走査のための（理論上）固定のＩＳＯ中心を有する。“理論上”とは、回転中心のごく僅かな移動が曲げ力等により起こり得るという事実を指す。
【００７２】
第１及び第２の回転軸５６、６２の変位、例えば、シフト及び／又は回転は、Ｃアーム構造体１２に対するオブジェクト支持体２４の変位によって、又はオブジェクト支持体２４に対するＣアーム構造体１２の変位によって提供されてよい。更なる例に従って、Ｃアーム構造体１２及びオブジェクト支持体２４の両方の互いに対する移動の組み合わせが提供される。
【００７３】
更なる例となる実施形態（図示せず。）に従って、Ｃアーム構造体１２に代えて、所謂Ｏアーム構造が設けられ、このとき、Ｘ線検出器はＸ線源に対向して配置され、オブジェクトはそれら２つの間に配置可能である。線源及び検出器の移動は共に回転態様において起こる。
【００７４】
更なる例に従って、Ｃアーム構造体に代えて、２つの個別のロボティックアームが設けられ、それらは、Ｃアームにおけるような動作、すなわち、回転軸周りのＸ線源及び検出器の組み合わされた移動を提供するよう構成される。
【００７５】
図２において、第１の３Ｄ視野及び第２の３Ｄ視野は、図示されるように、例えば、重なり合うように、互いと接する。
【００７６】
更なる例に従って、第１及び第２の視野は共通して少なくとも１つのボクセルを有する。
【００７７】
更なる他の例に従って、第１及び第２の視野は、２つの破線円５８、６６がもはや互いと接しないように変位されてよい。なお、そのような場合に、結果として得られるボクセル情報は、２つの円の間の領域内のピクセルについて少なくもある程度の曖昧さをもたらす。それにもかかわらず、そのような場合でさえ、ＸＦＯＶの再構成は可能である。
【００７８】
破線円５８によって示される第１の視野、すなわち、第１の投影ボリュームの再構成のために、第１の回転Ｘ線走査５０からの投影データが使用される。よって、第１の視野、すなわち、第１の破線円５８内に配置される全てのボクセルは、第１の回転Ｘ線走査５０及び夫々の軌跡に沿って全方向から見られる。
【００７９】
然るに、第２の視野、すなわち、第２の投影ボリューム６６を再構成するためには、第２の回転Ｘ線走査６０からの投影データが使用される。
【００８０】
残りの領域７２におけるボクセルの再構成のためには、両方の回転Ｘ線走査５０、６０からの投影データが使用される。
【００８１】
例えば、残りの領域７２におけるボクセル７４に関し、このボクセル７４は、第１の軌跡５０の第１のセグメント上で、すなわち、参照符号７５により示された、いわば開始点から、点７８までに、見られる。後者、すなわち、点７８の位置で、ボクセル７４は依然として可視的であるが、ボクセル７４は、視角８４にわたる第１のサイドライン８０及び第２のサイドライン８２によって示される夫々の視角の第１のサイドライン８０上に配置されているので、次の取得点では可視的でない。
【００８２】
なお、ボクセル７４は、第２の軌跡６０上の点８６からも可視的であり、すなわち、夫々の投影情報により検出される。これは、ボクセル７４がこのとき夫々の点８６のファンアングル８８内に配置されているからである。再構成のために、第１の軌跡５０からの画像データが開始点７６から点７８まで使用され、次いで、第２の軌跡６０からの画像データが点８６から、参照符号９０によって示された夫々の終点まで使用される。
【００８３】
留意すべきは、第２の軌跡６０の終点９０から開始する場合に、点が可視的である軌跡上の点を決定するときに、点８６を越えて配置される点が到達される点である。つまり、図示される例では、重なり合った領域が存在し、その領域では、２つの投影軌跡５０及び６０からの画像データが使用され得る。
【００８４】
第２の軌跡６０における夫々の点を決定するよう、ボクセル７４から第１の軌跡５０上の点７８までの接続線の連続が使用され得る。この連続は、破線セグメント９２により示されている。
【００８５】
第１の点７６と第２の点７８との間の第１の軌跡５０のセグメントは、第１の軌跡５０のボクセルカバリングセグメント９４とも呼ばれる。夫々、点８６と終点９０との間の第２の軌跡６０の部分は、第２の軌跡６０のボクセルカバリングセグメント９６と呼ばれる。よって、ボクセルカバリングセグメント９４、９６は、第１及び／又は第２の回転Ｘ線走査のセグメントであり、そのセグメントは、再構成されるべきボクセルが特定の取得点の夫々の第１及び／又は第２の視野、すなわち、投影ボリューム内に位置する取得点を有する。
【００８６】
更なる例に従って、更には図示されないが、更なる回転Ｘ線走査が、第１及び第２の回転Ｘ線走査に加えて提供される。よって、更なる視野、すなわち、更なる３Ｄ視野を再構成するための更なる投影ボリュームが提供される。例えば、これは同様に、例えば、接するか又は重なり合った態様において、提供され得る。再構成のために、軌跡の夫々のセグメントは、視野の外のボクセルに関して決定される。
【００８７】
変位は、例えば、図２に示されるように回転円弧の弦の方向において、又は図３に示されるように回転円弧の２等分線の方向において、又は図４に示されるように円弧に対して横方向に、すなわち、弦に対して横方向且つ２等分線に対して横方向に提供され得る。
【００８８】
更に、残りの領域において配置されるボクセルの再構成のために、夫々の軌跡からの複数のセグメントが使用されることが知られる。
【００８９】
例えば、図３を参照して、ボクセル９８は、開始点１０２から始まって第１のセグメント終点１０４までの第１の軌跡５０の第１のセグメント１００からの投影データを用いることによって、再構成される。更なる再構成のために、第２の軌跡６０からの、すなわち、ボクセル９８と接続される第１の軌跡５０上の終点１０４の接続線によって決定される第２の軌跡６０上の点１０６からの投影データが使用される。次いで、第２の軌跡６０からの画像又は投影データは、第２の終点１０８まで使用される。第２の終点１０８は第２の軌跡６０上の点に相当し、その点からボクセルは依然として可視的である。次いで、それはもう一度、ボクセル９８と第２の軌跡６０上の点１０８との間の接続線の連続１１２によって第１の軌跡５０上の更なる開始点１１０を決定することで、第１の軌跡５０へ移動され直す。更に、第１の軌跡５０の第２の開始点１１０と終点１１４との間のセグメントからの投影データは次いで、ボクセル９８を再構成するために使用される。つまり、第１の軌跡の２つの異なるボクセルカバリングセグメントと、第２の軌跡６０の１つのボクセルカバリングセグメントとが、ボクセル９８の再構成のために使用される。
【００９０】
第２の軌跡６０上の点１０６と点１０８との間のボクセルカバリングセグメントは、参照符号１１６により示され、第２の開始点１１０と終点１１４との間の軌跡５０上のセグメントはボクセルカバリングセグメント１１８と呼ばれる。
【００９１】
図３において、変位は、上から下の図面の向きに対して垂直に示されている。一方、図４は、矢印１２０により示される横方向の変位を概略的に示す。夫々のボクセルの決定は図４において更には示されないが、上記の説明を代表して容易に理解され得る。更に、変位は、第１及び第２の視野（投影ボリューム）を定義する横軸（trans-axial）方向における円形断面の重なり合った結果において示される。第１及び第２の３Ｄ視野の直径の幅は、回転中心での実効放射ビームの幅によって定義される。実効放射ビームは、検出器に到るＸ線ビームの部分であり、画像データの取得のために使用される。円形断面は直径を有する。変位は直径以下であってよい。よって、円形断面は互いと接するか、又は少なくとも共通して１つのボクセル又はそれ以上を有する。
【００９２】
当然に、本発明は、直径よりも大きい変位にも適用可能である。
【００９３】
更に、上記の例は、円弧動作、すなわち、第１及び第２のＸ線走査のための円弧軌跡の例を参照することが分かる。なお、回転走査はまた、異なる形状をした弧において、例えば、楕円弧において実行可能である。そのような場合に、当然に、結果として得られる投影ボリュームは、円によってではなく、むしろ楕円又は別な形状によって表される。
【００９４】
図５は、以下のステップを有してオブジェクトの３ＤＸ線画像データを取得する方法２００の基本ステップを示す。第１のステップ２１０で、第１のＩＳＯ中心周りの第１の回転Ｘ線走査２１２が実行される。
【００９５】
例えば、第１の回転Ｘ線走査２１２は複数のＸ線投影により実行される。各投影は、第１の３Ｄ視野を再構成するための第１の視野（投影ボリューム）をカバーするよう回転平面において扇形状のビームを有する。このとき、回転は、オブジェクトの周りの少なくとも１４０°にわたって第１のＩＳＯ中心周りの弧において実行される。
【００９６】
第２のステップ２１４において、少なくとも第２の回転Ｘ線走査２１６が第２のＩＳＯ中心周りで実行される。
【００９７】
例えば、第２の回転Ｘ線走査２１６は、第２の３Ｄ視野を再構成するための第２の視野（投影ボリューム）をカバーするよう回転平面において扇形状を有するビームによる複数のＸ線投影により実行される。このとき、回転は、オブジェクトの周りの少なくとも１４０°にわたって第２のＩＳＯ中心周りの弧において実行される。
【００９８】
第１及び第２の回転中心は、第１及び第２のＩＳＯ中心が第１及び第２の回転軸に対して横方向に配置されるように、双方向矢印２１８により示されるように、互いに対して変位される。
【００９９】
矢印２２０は、このように取得された画像データの更なる使用を示す。
【０１００】
例えば、第１及び第２の視野は、共通して少なくとも１つのボクセルを有するか、又は互いと接する。
【０１０１】
第１及び第２の回転走査は夫々、固定的なＩＳＯ中心により実行される。
【０１０２】
更なる例に従って、第１の視野及び第２の視野並びに残りの領域を囲む拡張された３Ｄ視野として凸包が提供される。残りの領域は凸包内にあるが、第１及び第２の視野の外にある。
【０１０３】
例えば、残りの領域は、ダブルウェッジ状（double-wedge-like）の形を有して提供される。残りの領域（residual  regions）は残留面積（residual  areas）とも呼ばれることがある。
【０１０４】
図６は、本発明に従う方法の更なる実施形態を示し、再構成ステップ２２２が、破線長方形２２４で囲まれた画像取得ステップに加えて設けられている。第１の視野の再構成２２６のために、第１の回転Ｘ線走査からの投影データが使用される。この投影データは矢印２２８により示されている。第２の視野の再構成２３０のために、第２の回転Ｘ線走査からの投影データが使用される。この投影データは矢印２３２により示されている。残りの領域の再構成２３４のために、参照符号２３６により示される第１の視野の少なくとも一部分からの投影データが使用され、且つ、矢印２３８により示される第２の視野の少なくとも一部分からの投影データが使用される。
【０１０５】
更なる態様に従って、信号対雑音比（ＳＮＲ）を改善するために夫々の他の弧の投影データを使用することも可能である。
【０１０６】
残りの領域内のボクセルを再構成するために、ボクセルカバリングセグメントから投影が使用される。ボクセルカバリングセグメントは、第１及び／又は第２の回転Ｘ線走査のセグメントであり、それらのセグメントは、再構成されるべきボクセルが特定の取得点の夫々の視野内にある取得点を含む。
【０１０７】
例えば、残りの領域内のボクセルを再構成するために、ボクセルカバリングセグメントに沿った微分された逆投影された投影データが使用される。
【０１０８】
本発明に従って、３ＤＸ線撮像のためのＸＦＯＶは、より大きな検出器又は他の機械的手段の必要なしに提供される。
【０１０９】
結果として、例えば、図２を参照する場合に、２つの円に比べて約１４％の視野の増大が提供される（（πｒ２＋４ｒ２）／（２πｒ２）≒１．１４）。
【０１１０】
よって、ＸＦＯＶは多種多様な用途に適用可能であり、例えば、肝臓のＴＡＣＥ、脊椎インターベンション（spine  interventions）、子宮動脈塞栓、一度の両大腿動脈の撮像のような、改善された適用状況をもたらす。
【０１１１】
ＸＦＯＶは、複数の弧により提供される。よって、本発明は、１の、すなわち、単一の再構成においてＩＳＯ中心のシフトにより２以上の弧を走査することで、より大きな視野を可能にすることを目指す。３つの候補となる解決案が提供される：
第１に、スムースフェザリング（smooth  feathering）による２つの独立したＦＤＫ再構成が提供される。２つの再構成は別個に実行され、次いでスムースブレンディング（smooth  blending）によってまとめられる。利点として、この解決法は、走査間の動きに鈍感である。しかし、打ち切りアーティファクトが両方の再構成において存在し得る。
【０１１２】
第２に、複数の弧のためのＤｅｆｒｉｓｅ−Ｃｋａｃｋ再構成アルゴリムの修正が提供される。これは、同じボリュームへのＦＢＰを意味する。利点として、視野は、２つの円に比べて最大１４％増大され得る。しかし、投影における長期的なフィルタリングによる打ち切りの問題が依然として起こりえる。更に、走査間の動きがアーティファクトを導入し得る。
【０１１３】
第３に、複数の弧のためのＢＰＦ再構成アルゴリムの修正が提供される。両方の円弧からの微分投影は同じボリュームに逆投影される。逆ヒルバート（Ｈｉｌｂｅｒｔ）変換が次いでこの単一のボリュームに適用される。利点として、視野は、ＸＦＯＶがＰＩ線にそって切断されない場合に、正確な再構成により最大１４％増大される。しかし、走査間の動きがアーティファクトを導入し得る。
【０１１４】
更なる例に従って、反復式の再構成が提供される。
【０１１５】
利点として、より大きな視野、例えば、針が通る経路のプランニング及びトラッキング、完全な肝臓撮像、等のための視野における体表面、が提供される。
【０１１６】
本発明の他の例となる実施形態においては、コンピュータプログラム又はコンピュータプログラム要素であって、上記の実施形態のうちの１つに従う方法の方法ステップを適切なシステムで実行するよう適応されることを特徴とするコンピュータプログラム又はコンピュータプログラム要素が提供される。
【０１１７】
従って、コンピュータプログラム要素は、本発明の実施形態の部分であってもよいコンピュータユニットにおいて記憶されてよい。このコンピュータユニットは、上記の方法のステップを実行するか、又はその実行を引き起こすよう適応されてよい。更に、それは、上記の装置の構成要素を作動するよう適応され得る。コンピュータユニットは、自動的に作動するよう及び／又はユーザの命令を実行するよう適応され得る。コンピュータプログラムは、データプロセッサの作業メモリにロードされてよい。データプロセッサは、よって、本発明の方法を実行するよう装備されてよい。
【０１１８】
本発明のこの例となる実施形態は、最初から本発明を使用するコンピュータプログラムと、更新によって既存のプログラムを本発明を使用するプログラムに変えるコンピュータプログラムとを両方とも対象とする。
【０１１９】
これより先、コンピュータプログラム要素は、上記の方法の例となる実施形態のプロシージャを満たす全ての必須のステップを提供することができる。
【０１２０】
本発明の更なる例となる実施形態に従って、ＣＤ−ＲＯＭのようなコンピュータ可読媒体であって、上記のコンピュータプログラムを記憶したコンピュータ可読媒体が提供される。
【０１２１】
コンピュータプログラムは、一緒に又は他のハードウェアの部分として提供される光記憶媒体又は固体状態媒体のような適切な媒体において記憶及び／又は分配されてよいが、インターネット又は他の有線若しくは無線の電気通信システムを介するような、他の形態においても分配されてよい。
【０１２２】
なお、コンピュータプログラムは、ワールドワイドウェブ（ＷＷＷ）のようなネットワーク上で提供されてもよく、そのようなネットワークからデータプロセッサの査秒メモリにダウンロードされ得る。本発明の更なる例となる実施形態に従って、コンピュータプログラム要素をダウンロードに利用可能とするための手段が提供され、コンピュータプログラム要素は、本発明の上記の実施形態のうちの１つに従う方法を実行するよう配置される。
【０１２３】
留意すべきは、本発明の実施形態は、異なる主題を参照して記載される点である。特に、幾つかの実施形態は、方法タイプの請求項を参照して記載され、一方、他の実施形態は、装置タイプの請求項を参照して記載される。なお、当業者は、上記及び以下の説明から、別なふうに示されない限り、１つのタイプの主題に属する特徴のあらゆる組み合わせに加えて、異なる手段に関連する特徴の間の如何なる組み合わせも本願により開示されていると見なされると察するであろう。なお、全ての特徴は、それらの特徴の単純な足し合わせよりも大きい相乗効果を提供するよう組み合わされ得る。
【０１２４】
本発明は図面及び上記の記載において詳細に図示及び記載されてきたが、そのような図示及び記載は単なる例示及び説明であり限定でない。本発明は、開示される実施形態に制限されない。開示される実施形態に対する他の変形は、図面、本開示及び特許請求の範囲から、請求される発明を実施する際に当業者によって理解及び達成され得る。
【０１２５】
特許請求の範囲において、語“有する（comprising）”及び“含む（including）”等は、他の要素又はステップを除外せず、不定冠詞“１つの（a又はan）”は複数個を除外しない。単一のプロセッサ又は他のユニットが、特許請求の範囲において挙げられている複数の事項の機能を満たしてよい。特定の手段が相互に異なる従属請求項においてあげられているという単なる事実は、それらの手段の組み合わせが有利に使用され得ないことを示すわけではない。特許請求の範囲における如何なる参照符号も、適用範囲を制限するよう解釈されるべきではない。
【図１】
2014533168.tif 000003
【図２】
2014533168.tif 000004
【図３】
2014533168.tif 000005
【図４】
2014533168.tif 000006
【図５】
2014533168.tif 000007
【図６】
2014533168.tif 000008
【手続補正書】
【提出日】平成26年5月13日(2014.5.13)
【手続補正１】
【補正対象書類名】特許請求の範囲
【補正対象項目名】全文
【補正方法】変更
【補正の内容】
【特許請求の範囲】
【請求項１】
オブジェクトの拡張された３次元画像を取得するよう設けられるＣアーム型Ｘ線撮像システムであって、
Ｘ線源と、該Ｘ線源の向かいに取り付けられたＸ線検出器とを備えるＣアーム構造体と、
前記Ｃアーム構造体の回転動作のための電動ドライブと、
制御ユニットと
を有し、
前記Ｃアーム構造体は、再構成された３次元視野のための画像データを生成するために、回転軸周りの且つ複数のＸ線投影を取得するＩＳＯ中心周りの回転走査を実行するよう設けられ、
前記制御ユニットは、前記電動ドライブを制御するよう構成され、
前記制御ユニットは、前記Ｃアーム構造体の前記回転動作に、
第１の視野のための第１の回転軸による第１のＩＳＯ中心周りの第１の回転Ｘ線走査と、
第２の視野のための第２の回転軸による第２のＩＳＯ中心周りの少なくとも第２の回転Ｘ線走査と
を実行させるよう構成され、
前記第１のＩＳＯ中心及び前記第２のＩＳＯ中心は、前記第１のＩＳＯ中心と前記第２のＩＳＯ中心との間の接続線が前記第１の回転軸及び前記第２の回転軸に対して横方向に配置されるように互いに対してずらされ、
前記制御ユニットは、前記第１の視野及び前記第２の視野並びに残りの領域を囲む拡張された３次元視野として凸包を提供するよう構成され、前記残りの領域は前記凸包内にあるが前記第１の視野及び前記第２の視野の外にある、Ｃアーム型Ｘ線撮像システム。
【請求項２】
前記Ｃアーム構造体は、第１の軌道による前記第１の回転Ｘ線走査と、前記第１の軌道に対して変位された第２の軌道による前記第２の回転Ｘ線走査とを実行するよう構成され、前記第１の軌道及び前記第２の軌道は、同じ軌道形状を有する、
請求項１に記載のＣアーム型Ｘ線撮像システム。
【請求項３】
前記制御ユニットは、前記Ｃアーム構造体の前記回転動作に、前記第１の視野及び前記第２の視野が互いと接するように前記回転走査を実行させるよう構成される、
請求項１又は２に記載のＣアーム型Ｘ線撮像システム。
【請求項４】
前記第１の回転軸及び前記第２の回転軸は、前記第１のＩＳＯ中心と前記第２のＩＳＯ中心との間の前記接続線が前記第１の回転軸及び前記第２の回転軸と垂直に配置されるように互いに対して平行に変位される、
請求項１乃至３のうちいずれか一項に記載のＣアーム型Ｘ線撮像システム。
【請求項５】
前記Ｃアーム構造体は、前記第１の回転走査及び前記第２の回転走査を夫々円弧として実行するよう設けられる、
請求項１乃至４のうちいずれか一項に記載のＣアーム型Ｘ線撮像システム。
【請求項６】
前記制御ユニットは、前記第１の視野の再構成のために前記第１の回転Ｘ線走査からの投影データを、及び前記第２の視野の再構成のために前記第２の回転Ｘ線走査からの投影データを使用するよう構成され、
前記制御ユニットは、前記残りの領域の再構成のために、前記第１の視野の少なくとも一部分からの投影データと、前記第２の視野の少なくとも一部分からの投影データとを使用するよう構成される、
請求項１乃至５のうちいずれか一項に記載のＣアーム型Ｘ線撮像システム。
【請求項７】
前記制御ユニットは、前記残りの領域内のボクセルを再構成するためにボクセルカバリングセグメントからの投影データを使用するよう構成され、前記ボクセルカバリングセグメントは、再構成されるべき前記ボクセルが特定の捕捉点の夫々の前記第１の視野及び／又は前記第２の視野内にある捕捉点を含む前記第１の回転Ｘ線走査及び／又は前記第２の回転Ｘ線走査のセグメントである、
請求項１乃至６のうちいずれか一項に記載のＣアーム型Ｘ線撮像システム。
【請求項８】
オブジェクトの３次元Ｘ線画像データを取得する方法であって、
ａ）第１のＩＳＯ中心周りで第１の回転Ｘ線走査を実行するステップと、
ｂ）第２のＩＳＯ中心周りの少なくとも第２の回転Ｘ線走査を実行するステップと、
を有し、
前記第１のＩＳＯ中心及び前記第２のＩＳＯ中心は、前記第１のＩＳＯ中心と前記第２のＩＳＯ中心との間の接続線が第１の回転軸及び第２の回転軸に対して横方向に配置されるように互いに対してずらされ、
第１の視野及び第２の視野並びに残りの領域を囲む拡張された３次元視野として凸包が提供され、前記残りの視野は、前記凸包内にあるが前記第１の視野及び前記第２の視野の外にある、方法。
【請求項９】
前記ステップａ）における前記第１の回転Ｘ線走査は、第１の軌道により実行され、前記ステップｂ）における前記第２の回転Ｘ線走査は、前記第１の軌道に対して変位された第２の軌道により実行され、前記第１の軌道及び前記第２の軌道は、同じ軌道形状を有する、
請求項８に記載の方法。
【請求項１０】
ｉ）前記第１のＩＳＯ中心及び前記第２のＩＳＯ中心が、前記第１の視野及び前記第２の視野が互いと接するように変位されることと、
ｉｉ）前記第１の回転軸及び前記第２の回転軸が、前記第１のＩＳＯ中心と前記第２のＩＳＯ中心との間の前記接続線が前記第１の回転軸及び前記第２の回転軸と垂直に配置されるように互いに対して平行に変位されることと、
ｉｉｉ）前記第１の回転走査及び前記第２の回転走査が夫々円弧として実行されることと
のうちの少なくとも１つが提供される、請求項８又は９に記載の方法。
【請求項１１】
前記第１の視野の再構成のために、前記第１の回転Ｘ線走査からの投影データが使用され、前記第２の視野の再構成のために、前記第２の回転Ｘ線走査からの投影データが使用され、
前記残りの領域の再構成のために、前記第１の視野の少なくとも一部分からの投影データと、前記第２の視野の少なくとも一部分からの投影データとが使用される、
請求項８乃至１０のうちいずれか一項に記載の方法。
【請求項１２】
前記残りの領域内のボクセルを再構成するために、ボクセルカバリングセグメントからの投影データが使用され、前記ボクセルカバリングセグメントデータは、再構成されるべき前記ボクセルが特定の捕捉点の夫々の前記第１の視野及び／又は前記第２の視野内にある捕捉点を含む前記第１の回転Ｘ線走査及び／又は前記第２の回転Ｘ線走査のセグメントである、
請求項８乃至１１のうちいずれか一項に記載の方法。
【請求項１３】
前記残りの領域内の前記ボクセルを再構成するために、前記ボクセルカバリングセグメントに沿った微分された逆投影された投影データが使用される、
請求項１２に記載の方法。
【請求項１４】
プロセッシングユニットによって実行される場合に、請求項８乃至１３のうちいずれか一項に記載の方法を実行するよう適応される請求項１乃至７のうちいずれか一項に記載のＣアーム型Ｘ線撮像システムを制御するコンピュータプログラム。
【請求項１５】
請求項１４に記載のコンピュータプログラムを記憶したコンピュータ可読媒体。
【手続補正２】
【補正対象書類名】図面
【補正対象項目名】図１
【補正方法】変更
【補正の内容】
【図１】
2014533168.tif 000009
【国際調査報告】
2014533168.tif 000010
2014533168.tif 000011